(57)【要約】      （修正有）【課題】血液循環の停滞や褥瘡（床ずれ）を防止するために、患者の身体の向きを変えさせたり、患者の上半身または下半身を局部的に持ち上げて、患者の着脱衣を容易にする医療用多機能ベッドを提供する。【解決手段】ベッドフレーム１１と、前記ベッドフレーム１１の横フレーム部分に水平に枢設されるセンター支持部と、前記センター支持部の両側にそれぞれ位置し、その一側が前記センター支持部に枢設され、水平維持機構によって前記センター支持部の回転中に水平状態が維持される２つのサイド支持部１３とを含むベッド本体１０を有していることを特徴とする。【選択図】図１
0003142492.tif 000002
【実用新案登録請求の範囲】
【請求項１】
ベッドフレームと、
前記ベッドフレームの横フレーム部分に水平に枢設されるセンター支持部と、
前記センター支持部の両側にそれぞれ位置し、その一側が前記センター支持部に枢設され、水平維持機構によって前記センター支持部の回転中に水平状態が維持される２つのサイド支持部と、
を含むベッド本体を有していることを特徴とする、
医療用多機能ベッド。
【請求項２】
前記水平維持機構は、
前記ベッドフレームの横フレーム部分に固定されるとともに、前記センター支持部の一端に枢設される中央ロッドと、
前記各サイド支持部の一端から垂直に下方へ延出するサイドロッドと、
両端が前記中央ロッド及びサイドロッドの自由端に枢設される２本の連結ロッドと、
を含んでいる、請求項１の医療用多機能ベッド。
【請求項３】
一端が前記センター支持部に枢設されるとともに、下方に伸びる第１従動ロッドが固定される背上げプレートと、
前記第１従動ロッドが枢設され、前記第１従動ロッドを駆動することにより、前記背上げプレートをセンター支持部に対して所定角度上昇させる第１ピストンロッドを具え、前記センター支持部の底面に枢設される第１駆動装置と、
を含む背上げ装置をさらに有している、請求項１又は２の医療用多機能ベッド。
【請求項４】
中央部に枢設部を有することで２つのプレート体を折り曲げ可能にし、一方のプレート体が前記センター支持部に枢設されるとともに、下方に伸びる第２従動ロッドが固定される膝上げプレートと、
前記第２従動ロッドが枢設され、前記第２従動ロッドを駆動することにより、前記膝上げプレートを折り曲げて前記センター支持部より上昇させる第２ピストンロッドを具え、前記センター支持部の底面に枢設される第２駆動装置と、
を含む膝上げ装置をさらに有している、請求項１乃至３の医療用多機能ベッド。
【請求項５】
前記ベッドフレームの一端にガイドレールが設けられ、前記センター支持部の一端に貫通溝が形成され、
前記膝上げ装置における膝上げプレートの他方のプレート体の端部に固定されたガイドローラーマウントが、前記センター支持部の貫通溝を貫通し、前記ガイドローラーマウントに前記ガイドレールに設置されるガイドローラーが枢設されている、請求項１乃至４の医療用多機能ベッド。
【請求項６】
前記ベッドフレームは、少なくとも４本の支持脚部を有している、請求項１乃至５の医療用多機能ベッド。
【考案の詳細な説明】
【技術分野】
【０００１】
本考案は、医療用多機能ベッドに関し、特に、血液循環の停滞や褥瘡（床ずれ）を防止するために、患者の身体の向きを変えさせたり、患者の上半身または下半身を局部的に持ち上げて、患者の着脱衣を容易にする医療用多機能ベッドに関する。
【背景技術】
【０００２】
身体障害者、重病患者、または植物人間などは、自ら自由に行動することができないため、病床から離れることができない。そのため、看護者は、患者の血液循環の停滞や褥瘡（床ずれ）を防止するために、定時的に患者の身体の向きを変えさせる必要がある。この時、看護者は、自力で患者の身体の向きを変えさせているが、看護者の力が足りなかったり、或いは力加減を間違えたりした場合、患者に不快感を与えたり、怪我を負わせたりする恐れがある。
【０００３】
また、看護者が従来のベッド上にいる患者の着脱衣を行う時は、１人が患者の上半身または下半身を持ち上げているうちに、もう１人が服を着替えさせる必要があり、計２名の看護者が必要となるため、非常に不便であり、看護者不足の問題にも拍車を掛けている。
【考案の開示】
【考案が解決しようとする課題】
【０００４】
そこで、案出されたのが本考案であって、血液循環の停滞や褥瘡（床ずれ）を防止するために、患者の身体の向きを変えさせたり、患者の上半身または下半身を局部的に持ち上げて、患者の着脱衣を容易にする医療用多機能ベッドを提供することを目的としている。
【課題を解決するための手段】
【０００５】
本考案の請求項１は、ベッドフレーム１１と、前記ベッドフレーム１１の横フレーム部分に水平に枢設されるセンター支持部１２と、前記センター支持部１２の両側にそれぞれ位置し、その一側が前記センター支持部１２に枢設され、水平維持機構によって前記センター支持部１２の回転中に水平状態が維持される２つのサイド支持部１３と、を含むベッド本体１０を有していることを特徴とする医療用多機能ベッドを提供するものである。
【０００６】
本考案の請求項２は、前記水平維持機構は、前記ベッドフレーム１１の横フレーム部分に固定されるとともに、前記センター支持部１２の一端に枢設される中央ロッド１２１と、前記各サイド支持部１３の一端から垂直に下方へ延出するサイドロッド１３１と、両端が前記中央ロッド１２１及びサイドロッド１３１の自由端に枢設される２本の連結ロッド１５と、を含んでいることを特徴とする請求項１に記載の医療用多機能ベッドを提供するものである。
【０００７】
本考案の請求項３は、一端が前記センター支持部１２に枢設されるとともに、下方に伸びる第１従動ロッド２１０が固定される背上げプレート２１と、前記第１従動ロッド２１０が枢設され、前記第１従動ロッド２１０を駆動することにより、前記背上げプレート２１をセンター支持部１２に対して所定角度上昇させる第１ピストンロッド２２０を備え、前記センター支持部１２の底面に枢設される第１駆動装置２２と、を含む背上げ装置２０をさらに有していることを特徴とする請求項１または２に記載の医療用多機能ベッドを提供するものである。
【０００８】
本考案の請求項４は、中央部に枢設部３１０を有することで２つのプレート体を折り曲げ可能にし、一方のプレート体が前記センター支持部１２に枢設されるとともに、下方に伸びる第２従動ロッド３１１が固定される膝上げプレート３１と、前記第２従動ロッド３１１が枢設され、前記第２従動ロッド３１１を駆動することにより、前記膝上げプレート３１を折り曲げて前記センター支持部１２より上昇させる第２ピストンロッド３２０を備え、前記センター支持部１２の底面に枢設される第２駆動装置３２と、を含む膝上げ装置３０をさらに有していることを特徴とする請求項１乃至３に記載の医療用多機能ベッドを提供するものである。
【０００９】
本考案の請求項５は、前記ベッドフレーム１１の一端にガイドレール１１１が設けられ、前記センター支持部１２の一端に貫通溝が形成され、前記膝上げ装置３０における膝上げプレート３１の他方のプレート体の端部に固定されたガイドローラーマウント３３が、前記センター支持部１２の貫通溝を貫通し、前記ガイドローラーマウント３３に前記ガイドレール１１１に設置されるガイドローラー３３０が枢設されていることを特徴とする請求項１乃至４に記載の医療用多機能ベッドを提供するものである。
【００１０】
本考案の請求項６は、前記ベッドフレーム１１は、少なくとも４本の支持脚部１１０を有していることを特徴とする請求項１乃至５に記載の医療用多機能ベッドを提供するものである。
【考案の効果】
【００１１】
本考案の水平維持機構を用いれば、看護者が容易に患者の身体の向きを変えさせることができる。また、本考案の背上げ・膝上げ装置を用いれば、看護者が患者の着脱衣作業を容易に行うことができる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る医療用多機能ベッドの正面図であり、図２は本考案に係る医療用多機能ベッドの平面図であり、図３は本考案に係る医療用多機能ベッドにおける背上げ装置の作動状態を示す正面断面図であり、図４は本考案に係る医療用多機能ベッドにおける膝上げ装置の作動状態を示す正面断面図であり、図５は本考案に係る医療用多機能ベッドにおける水平維持機構の水平状態を示す側面断面図であり、図６は本考案に係る医療用多機能ベッドにおける水平維持機構の傾斜状態を示す側面断面図である。
【００１４】
図１及び図２に示すように、本考案に係る医療用多機能ベッドは、ベッド本体１０、背上げ装置２０、及び膝上げ装置３０を含んでいる。
【００１５】
前記ベッド本体１０は、ベッドフレーム１１、センター支持部１２、２つのサイド支持部１３、及びベッド本体１０の両端にそれぞれ設置される２つの水平維持機構を含み、前記ベッドフレーム１１は、４本の支持脚部１１０を有するとともに、一端にガイドレール１１１が設けられ、前記センター支持部１２は、ベッドフレーム１１の横フレーム部分に水平に枢設されるとともに、一端に貫通溝（図示せず）が形成され、前記２つのサイド支持部１３は前記センター支持部１２の両側にそれぞれ位置し、その一側が前記センター支持部１２に枢設されている。
【００１６】
図１乃至図３に示すように、背上げ装置２０は、一端が前記センター支持部１２に枢設されるとともに、下方に伸びる第１従動ロッド２１０が固定される背上げプレート２１と、前記第１従動ロッド２１０が枢設され、前記第１従動ロッド２１０を駆動することにより、前記背上げプレート２１をセンター支持部１２に対して所定角度上昇させる第１ピストンロッド２２０を備え、前記センター支持部１２の底面に枢設される第１駆動装置２２とを含んでいる。この背上げ装置２０を用いれば、患者の上半身を容易に持ち上げることができる。
【００１７】
図１、図２、及び図４に示すように、膝上げ装置３０は、中央部に枢設部３１０を有することで２つのプレート体を折り曲げ可能にし、一方のプレート体が前記センター支持部１２に枢設されるとともに、下方に伸びる第２従動ロッド３１１が固定され、他方のプレート体の端部に固定されたガイドローラーマウント３３が前記センター支持部１２の貫通溝を貫通し、前記ガイドローラーマウント３３に前記ガイドレール１１１に設置されるガイドローラー３３０が枢設される膝上げプレート３１と、前記第２従動ロッド３１１が枢設され、前記第２従動ロッド３１１を駆動することにより、前記膝上げプレート３１を折り曲げて前記センター支持部１２より上昇させる第２ピストンロッド３２０を備え、前記センター支持部１２の底面に枢設される第２駆動装置３２とを含んでいる。この膝上げ装置３０を用いれば、患者の両膝を容易に持ち上げることができる。
【００１８】
図５及び図６に示すように、前記水平維持機構は、前記ベッドフレーム１１の横フレーム部分に固定されるとともに、前記センター支持部１２の一端に枢設される中央ロッド１２１と、前記各サイド支持部１３の一端から垂直に下方へ延出するサイドロッド１３１と、両端が前記中央ロッド１２１及びサイドロッド１３１の自由端に枢設される２本の連結ロッド１５とを含んでいる。この水平維持機構を用いれば、前記センター支持部１２が傾斜しても、両側のサイド支持部１３は水平状態を維持することができる。
【図面の簡単な説明】
【００１９】
【図１】本考案に係る医療用多機能ベッドの正面図。
【図２】本考案に係る医療用多機能ベッドの平面図。
【図３】本考案に係る医療用多機能ベッドにおける背上げ装置の作動状態を示す正面断面図。
【図４】本考案に係る医療用多機能ベッドにおける膝上げ装置の作動状態を示す正面断面図。
【図５】本考案に係る医療用多機能ベッドにおける水平維持機構の水平状態を示す側面断面図。
【図６】本考案に係る医療用多機能ベッドにおける水平維持機構の傾斜状態を示す側面断面図。
【符号の説明】
【００２０】
１０    ベッド本体
１１    ベッドフレーム
１１０  支持脚部
１１１  ガイドレール
１２    センター支持部
１２１  中央ロッド
１３    サイド支持部
１３１  サイドロッド
１５    連結ロッド
２０    背上げ装置
２１    背上げプレート
２１０  第１従動ロッド
２２    第１駆動装置
２２０  第１ピストンロッド
３０    膝上げ装置
３１    膝上げプレート
３１０  枢設部
３１１  第２従動ロッド
３２    第２駆動装置
３２０  第２ピストンロッド
３３    ガイドローラーマウント
３３０  ガイドローラー
５０    患者
【図１】
0003142492.tif 000003
【図２】
0003142492.tif 000004
【図３】
0003142492.tif 000005
【図４】
0003142492.tif 000006
【図５】
0003142492.tif 000007
【図６】
0003142492.tif 000008